(57)【特許請求の範囲】
【請求項１】
着用者の胴体下部用の衣料品であって、外側パネル材料および内側パネル材料が少なくとも衣料品の胴体部分を形成する、前記外側パネル材料と、前記内側パネル材料と、第１の層および第２の層を含むウエストバンドであって、少なくとも１つの開口部が前記ウエストバンドの第１の層に形成されており、前記外側パネル材料の上縁が前記ウエストバンドの第１の層に固着され、前記内側パネル材料の上縁が前記ウエストバンドの第２の層に固着されているウエストバンドと、前記外側パネル材料と前記内側パネル材料との間に配置された少なくとも１つのポケットパネルであって、少なくとも上縁、下縁、および対向する側縁を含むポケットパネルと、を含み、前記ポケットパネルと少なくとも前記内側パネル材料との間に空間を画定するように、前記ポケットパネルの上縁は、前記ウエストバンドの第１の層に固着され、かつ前記ポケットパネルの下縁は、前記内側パネル材料に固着されており、前記ウエストバンドの第１の層における開口部は、前記ポケットパネルと前記内側パネル材料との間の空間と連通している、衣料品。
【請求項２】
前記ウエストバンドの第１の層は、第１の表面と前記第１の表面に対向する第２の表面とを含み、前記ウエストバンドの第２の層は、第３の表面と前記第３の表面に対向する第４の表面とを含み、前記ウエストバンドの第１の層の第２の表面は、前記ウエストバンドの第２の層の第３の表面に隣接して配置されている、請求項１に記載の衣料品。
【請求項３】
前記外側パネル材料の上縁は、前記ウエストバンドの第１の層の第２の表面に固着され、前記内側パネル材料の上縁は、前記ウエストバンドの第２の層の第３の表面に固着されている、請求項２に記載の衣料品。
【請求項４】
前記ポケットパネルの上縁は、前記ウエストバンドの第１の層の第２の表面に固着されている、請求項３に記載の衣料品。
【請求項５】
前記ポケットパネルの上縁は、前記ウエストバンドの第１の層の開口部より下方の、かつ前記ウエストバンドの第１の層の開口部に隣接する位置にて、前記ウエストバンドの第１の層の第２の表面に固着されている、請求項４に記載の衣料品。
【請求項６】
前記外側パネル材料の上縁は、前記ポケットパネルの上縁が前記ウエストバンドの第１の層に固着されている場所よりも下方の位置にて、前記ウエストバンドの第１の層に固着されている、請求項５に記載の衣料品。
【請求項７】
前記ポケットパネルの対向する側縁は、前記内側パネル材料に固着されている、請求項１に記載の衣料品。
【請求項８】
前記ポケットパネルは、伸縮自在の弾性メッシュ材料を含む、請求項１に記載の衣料品。
【請求項９】
前記衣料品は半ズボンを含む、請求項１に記載の衣料品。
【請求項１０】
前記ウエストバンドは、更に、前記ウエストバンドを緊張させるために使用可能な引き紐を含む、請求項１に記載の衣料品。
【請求項１１】
前記引き紐は、前記ウエストバンドの第２の層上に移動可能に保持され、前記ウエストバンドの第１の層と前記ウエストバンドの第２の層との間に画定される空間内に配置される、請求項１０に記載の衣料品。
【請求項１２】
着用者の胴体下部用の衣料品であって、少なくとも上縁を有する外側パネル材料であって、前記上縁に隣接する開口部が形成された外側パネル材料と、少なくとも上縁を有する内側パネル材料であって、前記外側パネル材料および前記内側パネル材料が前記衣料品の少なくとも胴体部分を画定する前記内側パネル材料と、前記外側パネル材料と前記内側パネル材料との間に配置されたポケットパネルであって、少なくとも上縁および下縁を有するポケットパネルとを含み、前記ポケットパネルと前記内側パネル材料との間に空間を画定するように、前記ポケットパネルの上縁は、前記開口部より下方の位置にて、前記外側パネル材料に固着され、かつ前記ポケットパネルの下縁は、前記内側パネル材料に固着されており、前記外側パネル材料の開口部は、前記ポケットパネルと前記内側パネル材料との間の空間と連通している、衣料品。
【請求項１３】
前記開口部はスリット型開口部を含む、請求項１２に記載の衣料品。
【請求項１４】
前記ポケットパネルの下縁は、前記ポケットパネルの上縁が前記外側パネル材料に固着されている場所よりも下方の位置で前記内側パネル材料に固着されている、請求項１２に記載の衣料品。
【請求項１５】
前記ポケットパネルは、１つ以上の追加の端縁を含み、前記１つ以上の追加の端縁は前記内側パネル材料に固着されている、請求項１２に記載の衣料品。
【請求項１６】
第１のパネル材料と、第２のパネル材料の第１の表面が前記第１のパネル材料の第１の表面に隣接して配置されるように、前記第１のパネル材料に隣接しており、かつ前記第１のパネル材料内に配置された第２のパネル材料であって、前記第１のパネル材料および前記第２のパネル材料が少なくとも部分的に衣料品を形成する、第２のパネル材料と、外層および内層を有するトリムピースであって、前記トリムピースの外層に開口部が形成されており、前記第１のパネル材料の第１の端縁が前記トリムピースの外層に固着され、かつ前記第２のパネル材料の第１の端縁が前記トリムピースの内層に固着されているトリムピースと、少なくとも前記第１のパネル材料と前記第２のパネル材料との間に配置されたポケットパネルであって、少なくとも第１の端縁および前記第１の端縁に対向する第２の端縁を有するポケットパネルとを含み、前記ポケットパネルと前記第２のパネル材料との間にポケット空間を画定するように、前記ポケットパネルの第１の端縁は、前記開口部に隣接する前記トリムピースの外層に固着され、かつ前記ポケットパネルの第２の端縁は、前記第２のパネル材料に固着されており、前記トリムピースの外層における開口部は、前記ポケット空間と連通している、衣料品。
【請求項１７】
前記衣料品は、着用者の胴体上部用の衣料品を含む、請求項１６に記載の衣料品。
【請求項１８】
前記衣料品は、着用者の胴体下部用の衣料品を含む、請求項１６に記載の衣料品。
【請求項１９】
前記第１のパネル材料は前記衣料品の外層を含み、前記第２のパネル材料は前記衣料品の内層を含む、請求項１６に記載の衣料品。
【請求項２０】
前記ポケットパネルは１つ以上の追加の端縁を含み、前記１つ以上の追加の端縁は前記第２のパネル材料に固着されている、請求項１９に記載の衣料品。
【発明の詳細な説明】
【技術分野】
【０００１】
本発明は、衣料品用のポケットシステムに関する。
【背景技術】
【０００２】
一般に、衣料品のポケットシステムは、物体を収納するように設計されている。しかしながら、収納された物体の移動により気が散るのを最小限に抑えつつ、物体を確実に収納するためにポケットシステムが使用される、スポーツ用の衣料品のための薄型のポケットシステムを構成することは困難であり得る。
【０００３】
本発明の実施例を、添付の図面を参照して、以下に詳細に説明する。
【図面の簡単な説明】
【０００４】
【図１】本明細書の態様による、例示的なポケットシステムを有する衣料品の正面図である。
【図２】本明細書の態様による、図１の衣料品の背面図である。
【図３】本明細書の態様による、図１の切り取り線３−３に沿った、図１の例示的なポケットシステムの断面図である。
【図４】本明細書の態様による、例示的なポケットシステムの代替的な構成の断面図である。
【図５】本明細書の態様による、図１の衣料品の断面図である。
【図６】本明細書の態様による、代替的な例示的なポケット構造を有する例示的な衣料品を示す説明図である。
【図７】本明細書の態様による、図６の切り取り線７−７に沿った、図６の代替的な例示的なポケット構造の断面図である。
【図８】本明細書の態様による、例示的なポケット構造を有する異なる衣料品の例を示す説明図である。
【図９】本明細書の態様による、図８の例示的なポケット構造のポケット開口部の拡大図である。
【発明を実施するための形態】
【０００５】
本発明の主題は、法的要件を満たすように特異性をもって本明細書に記載される。しかしながら、記載自体は、本開示の範囲を限定するものではない。むしろ、発明者らは、特許請求の範囲に記載された主題が、現在または将来の他の技術とともに、本明細書に記載されたものと同様の異なるステップまたはステップの組み合わせを含む他の方法で具体化され得ることも企図されている。更に、本明細書における「ステップ」および／または「ブロック」という用語は、採用される方法のうちの異なる要素を意味するために使用されてもよいが、これらの用語は、個々のステップの順序が明示的に記載されている場合を除いて、本明細書に開示される様々なステップの間に何らかの特定の順序を暗示するものとして解釈されるべきではない。
【０００６】
高いレベルにおいて、本明細書の態様は、物体を確実に収納し、気が散るのを減らしつつ着用者の快適性を向上させるように、収納された物体の移動を最小限に抑えるように薄型に構成されている、衣料品用のポケットシステムに関する。例示的な態様において、衣料品は、外側パネル材料、内側パネル材料、ポケットパネル、およびウエストバンド等の二重層トリムピースを含む。外側パネルの上縁は、二重層トリムピースの外層に固着され、内側パネルの上縁は、二重層トリムピースの内層に固着されている。ポケットパネルは、内側パネル材料と外側パネル材料との間に配置され、ポケットパネルの上縁は、二重層トリムピースの外層に固着され、ポケットパネルの下縁は、内側パネル材料に固着される。少なくともポケットパネルと内側パネル材料との間に、ポケット空間が画定される。空間へのスリット型開口部が、二重層トリムピースの外層を貫通して形成されている。いくつかの態様では、ポケットパネルの周縁部は、更に、内側パネル材料に固着されている。
【０００７】
上述したようにポケットシステムを構成することによって、ポケットは、概して視界から「隠される」。即ち、ポケットへの開口部をウエストバンド上のスリット型開口部として構成することによって、および、ポケットパネルを衣料品の内側パネルと外側パネルとの間に配置することによって、ポケットシステムは薄型となる。これは、スポーツ用の衣服、特に、より流線形の審美性が望まれる、体型に合ったスポーツ用の衣服において有用であり得る。この構成はまた、例えば、衣料品の外側に面した表面に配置されたポケットシステムと比較して、物体を確実に収納するのに役立つ。更に、ポケットパネルの周縁部を衣料品の内側パネルに固着することによって、特に、ポケットを使用して物体を収納する場合に、概して、ポケットが着用者の運動中にずれるまたは移動するのを防ぐ。これは、一方で、着用者の気が散るのを最小限に抑え、着用者の快適性を向上させるのに役立ち得る。更に、ポケットシステムを形成するために単一のポケットパネルを使用することにより、ポケットを構成するために複数の層の材料を利用し得るポケットシステムと比較して、衣料品の重量を減少させるのに役立つ。これは、軽量の衣料品が望まれる、運動競技用ウエアにおいて有利であり得る。
【０００８】
従って、一態様では、着用者の胴体下部用の衣料品が提供される。衣料品は、外側パネル材料および内側パネル材料を含み、外側パネル材料および内側パネル材料は、衣料品の少なくとも胴体部分を形成する。衣料品は、更に、少なくとも第１の層および第２の層を有するウエストバンドを含み、少なくとも１つの開口部が、ウエストバンドの第１の層に形成される。外側パネル材料の上縁はウエストバンドの第１の層に固着され、内側パネル材料の上縁はウエストバンドの第２の層に固着される。衣料品は、更に、外側パネル材料と内側パネル材料との間に配置された少なくとも１つのポケットパネルを含み、ポケットパネルは、少なくとも上縁、下縁、および対向する側縁を含む。ポケットパネルと、少なくとも内側パネル材料との間に空間を画定するように、ポケットパネルの上縁はウエストバンドの第１の層に固着され、ポケットパネルの下縁は内側パネル材料に固着される。ウエストバンドの第１の層の開口部は、ポケットパネルと内側パネル材料との間の空間と連通している。
【０００９】
別の態様では、着用者の胴体下部用の衣料品が提供される。衣料品は、少なくとも上縁を有する外側パネル材料を含み、上縁に隣接する開口部が外側パネル材料に形成される。衣料品は、更に、少なくとも上縁を有する内側パネル材料を含み、外側パネル材料および内側パネル材料が、衣料品の少なくとも胴体部分を画定する。衣料品は、更に、外側パネル材料と内側パネル材料との間に配置されたポケットパネルを含む。ポケットパネルは少なくとも上縁および下縁を有しており、ポケットパネルと内側パネル材料との間に空間を画定するように、ポケットパネルの上縁は、開口部より下方の位置で外側パネル材料に固着され、ポケットパネルの下縁は、内側パネル材料に固着される。外側パネル材料の開口部は、ポケットパネルと内側パネル材料との間の空間と連通している。
【００１０】
更に別の態様では、第２のパネル材料の第１の表面が、第１のパネル材料の第１の表面に隣接して配置されるように、第１のパネル材料と、第１のパネル材料に隣接して配置された第２のパネル材料とを含む衣料品を提供する。ここでは、第１のパネル材料および第２のパネル材料が少なくとも部分的に衣料品を形成する。衣料品は、更に、第１のパネル材料と第２のパネル材料との間に配置されたトリムピースを含む。トリムピースは、外側に面する層および内側に面する層を有し、トリムピースの外側に面する層には開口部が形成されている。第１のパネル材料の第１の端縁は、トリムピースの外側に面する層に固着され、第２のパネル材料の第１の端縁はトリムピースの内側に面する層に固着される。ポケットパネルは、第１のパネル材料と第２のパネル材料との間に配置され、ポケットパネルは、少なくとも第１の端縁と、第１の端縁に対向する第２の端縁とを有する。ポケットパネルと第２のパネル材料との間にポケット空間を画定するように、ポケットパネルの第１の端縁は、開口部に隣接するトリムピースの外側に面する層に固着され、ポケットパネルの第２の端縁は、第２のパネル材料に固着される。トリムピースの外側に面する層の開口部は、ポケット空間と連通している。
【００１１】
「上方」、「上」、「下」、「下方」、「前部」、「後部」等の本明細書で使用される位置的用語は、直立姿勢で立っている仮の着用者によって、意図されるように着用された衣料品に対する、それらの一般的な意味合いを持つ。本明細書で使用される「衣料品」という用語は、シャツ、ズボン、半ズボン、ジャケット、コート等の衣料品を含むことができる。それは、更に、靴下、帽子、靴、および着用者によって着用されることが意図された他の種類の装備等の品目を含んでもよい。本明細書で使用される「パネル材料」という用語は、継ぎ目のない（即ち、シームレスの）単一のパネル材料を意味してもよく、または構造を形成するために互いに固着された複数の材料片を意味してもよい。本開示で使用されるように、「固着する」、「結合する」、「固定する」等の用語は、２つ以上の要素を互いに取り外し可能に取り付ける、または恒久的に取り付けることを意味し得る。要素は、例えば、ジッパー、スライダー、ボタン、フック、スナップ、マジックテープ、剥離可能な接着剤等を使用して取り外し可能に取り付けることができる。要素は、例えば、縫合、接合、溶接、ラミネート、接着剤等を使用して恒久的に取り付けることができる。
【００１２】
次に、本明細書の態様による、例示的なポケットシステムを有する衣料品１００の正面図を示す図１を参照する。衣料品１００は、一対の半ズボンの形態で示されているが、本明細書において、衣料品１００は、ズボン、カプリパンツ、タイツ等、着用者の胴体下部用の任意の種類の衣料品とすることができると考えられる。衣料品１００は、少なくとも、衣料品１００の外層を形成する第１のパネル材料１１０と、衣料品１００の内層を形成する第２のパネル材料１１６（視界から隠れていることを示すために破線で示す）とから形成される。いくつかの態様では、第１のパネル材料１１０は、第２のパネル材料１１６とは別個のパネルを含んでもよく、他の態様では、第１のパネル材料１１０および第２のパネル材料１１６は、衣料品１００の異なる層を形成するように操作された単一の材料片を含んでもよい。ありとあらゆる態様、およびそれらの任意の変形形態は、本明細書の態様内にあると考えられる。
【００１３】
例示的な態様において、第１のパネル材料１１０は、着用者を要素から保護するように構成されたシェル層を含み得る。例えば、第１のパネル材料１１０は、耐風性（例えば、目の詰んだ材料またはニット材料）、耐水性（例えば、耐久性撥水剤（ＤＷＲ）で処理された材料）、および／または速乾材料である軽量材料を含み得る。例示的な態様では、第２のパネル材料１１６は、ライナー層を含み得る。それ故、第２のパネル材料１１６は、吸湿発散性、臭気抑制、柔らかい手触り等の特性を示す伸縮自在の弾性材料を含み得る。第２のパネル材料１１６は、別個の脚部を有する半ズボンの形態で示されているが、本明細書では、第２のパネル材料１１６がビキニ型ブリーフや圧縮層等の形態であり得ることが企図される。第１のパネル材料１１０および第２のパネル材料１１６は、衣料品１００の脚部１１２および１１４、並びに衣料品１００の脚部開口部１２４および１２６を個別に、および／または集合的に画定してもよい。衣料品１００は、更に、衣料品１００のウエスト開口部１２２を画定するのを助ける二重層ウエストバンド１１８を含み得る。
【００１４】
続いて、例示的な態様において、衣料品１００は、ポケット構造１３０を含む（それが視界から隠れていることを示すために破線で示す）。ポケット構造１３０と連通するポケット開口部１２０は、ウエストバンド１１８上に配置されている。いくつかの例示的な態様では、ポケット開口部１２０は、開口部１２０のプロファイルを最小化し、ポケット構造１３０に収納されている物体を固定するのを助けるために、スリット型開口部として構成することができる。開口部１２０およびポケット構造１３０の位置および大きさは、例示的なものにすぎない。例えば、衣料品１００は、図１に示すものとは場所が異なる他のポケット開口部およびポケット構造を含むことができる（例えば、図２参照）。更に、ポケット開口部１２０のサイズおよび／またはポケット構造体１３０のサイズは、ポケット構造１３０内に収納されることが意図された異なるサイズの物体を収容するように調整されてもよい。例えば、ポケット構造が携帯電話を保持するように構成されている場合、開口部１２０およびポケット構造１３０はより大きくてもよく、また、ポケット構造が家の鍵等のより小さい物体を保持するように構成されている場合、開口部１２０およびポケット構造１３０はより小さくなり得る。ありとあらゆる態様、およびその任意の変形形態は、本明細書の態様内にあると考えられる。
【００１５】
衣料品１００は、ウエストバンド１１８を緊張させるために使用可能な引き紐１２８等の他の特徴を任意に含んでもよい。以下により完全に記載されるように、引き紐１２８は、二重層ウエストバンド１１８の内層と外層との間に配置することができ、引き紐１２８の端部は、図示したようにアパチャまたは開口部を介してウエストバンド１１８から出すことができる。
【００１６】
図２は、本明細書の態様による衣料品１００の背面図を示す。第２のポケット開口部２１０は、ウエストバンド１１８において衣料品１００の裏側に描かれており、ポケット開口部２１０は、第２のポケット構造２１２と連通している。上述したように、本明細書では、衣料品１００は、複数のポケット開口部および複数のポケット構造を含んでもよいと考えられる。ありとあらゆる態様、およびその任意の変形形態は、本明細書の態様内にあると考えられる。
【００１７】
次に図３を参照すると、図３は、本明細書の態様による、図１の切り取り線３−３に沿った、ポケット構造１３０の断面図を示している。図３に示すように、ウエストバンド１１８は、外層３１０および内層３１２を有する二重層構造を含む。一態様では、ウエストバンド１１８は、単層の材料をそれ自体の上に折り重ねて二重層ウエストバンド１１８を形成することによって形成することができる（図３参照）。本明細書では、ウエストバンド１１８は、縫合、接合、または他の固着手段によって、ウエストバンド１１８の上部にて互いに接合された２つの別個の層を備えてもよいと考えられる。
【００１８】
ウエストバンド１１８の外層３１０は、第１の表面３１４と、第１の表面３１４に対向する第２の表面３１６とを有することができる。同様に、ウエストバンド１１８の内層３１２は、第３の表面３１８と、第３の表面３１８に対向する第４の表面３２０とを含むことができる。ウエストバンド１１８の外層３１０の第２の表面３１６は、ウエストバンド１１８の内層３１２の第３の表面３１８に隣接して配置されて、層３１０と層３１２との間に空間を画定する。ポケット開口部１２０は、ウエストバンド１１８の外層３１０を貫通している。ポケット開口部１２０は、開口部１２０を形成するための機械的切断、レーザ切断、編成プロセスまたは製織プロセスの操作により形成することができる。
【００１９】
続いて、例示的な態様では、衣料品１００の第１の材料層１１０の上縁３３０は、ウエストバンド１１８の外層３１０の下部マージン３２８に固着されてもよい。より具体的には、第１の材料層１１０の上縁３３０は、外層３１０の下部マージン３２８に隣接するウエストバンド１１８の外層３１０の第２の表面３１６に固着されてもよい。一態様では、第１の材料層１１０の上縁３３０がウエストバンド１１８の外層３１０に固着されている場所は、ポケット開口部１２０より下方であってもよい。同様に、第２の材料層１１６の上縁３３４は、ウエストバンド１１８の内層３１２の下部マージン３３２に固着されてもよい。より具体的には、第２の材料層１１６の上縁３３４は、内層３１２の下部マージン３３２に隣接するウエストバンド１１８の内層３１２の第３の表面３１８に固着されてもよい。
【００２０】
ポケット構造１３０を形成するために使用されるポケットパネル１３１は、第１の材料層１１０と第２の材料層１１６との間の空間に配置される。例示的な態様では、ポケットパネル１３１は伸縮自在の弾性材料から形成され得る。伸縮自在の弾性材料を使用することで、一旦格納されてからの物体の移動を最小限に抑えるのを助けることにより、ポケット構造１３０内に物体をより確実に収納するのに役立ち得る。更に、ポケットパネル１３１は、メッシュ材料で形成されてもよい。メッシュ材料を使用することにより、ポケット構造１３０の全体的な通気性に寄与し得る。更に、メッシュ材料は、従来の布地と比較してより軽量である傾向があり、従って、衣料品１００の全体的な軽量化に寄与する。
【００２１】
図３に示すように、ポケットパネル１３１の上縁３２４は、ポケット開口部１２０より下方かつポケット開口部１２０に隣接する位置において、ウエストバンド１１８の外層３１０の第２の表面３１６に固着されている（本開示の全体を通して使用されるように、「隣接する」という用語は、指定された基準点から約０ｍｍ〜５．０ｃｍ以内を意味する）。例示的な態様では、ポケットパネル１３１の上縁３２４がウエストバンド１１８の外層３１０に固着されている位置は、第１の材料層１１０の上縁３３０がウエストバンド１１８の外層３１０に固着されている位置よりも上方にある。ポケットパネル１３１の下縁３２６は、ポケットパネル１３１の上縁３２４がウエストバンド１１８の外層３１０に固着されている場所よりも下方の位置において、第２の材料層１１６の内側に面する表面３３６に固着されている。ポケット構造１３０の所望のサイズに応じて、ポケットパネル１３１の下縁３２６は、第２のパネル材料１１６の上縁３３４よりも２ｃｍから１５ｃｍまで下方において、第２の材料層１１６に固着されてもよい。
【００２２】
上述したように、ポケットパネル１３１を固着することによって、ポケットパネル１３１と第２の材料層１１６との間にポケット空間３２２が形成され、このポケット空間３２２は物体を収納するために使用可能である。本明細書では、ポケットパネル１３１は１つ以上の追加の端縁を含み、これらの追加の端縁もまた、ポケットをより確実に着座させ、着用者の活動中のポケットの移動を防ぐために、第２の材料層１１６に固着されてもよい。この態様は、ポケット構造１３０を示すために第１の材料層１１０の一部を切り取った、衣料品１００の正面図を示す図５に示されている。ポケットパネル１３１は、対向する側縁５１０および５１２等の１つ以上の追加の端縁を含む。ポケットパネル１３１の側縁５１０および５１２並びに下端３２６は、縫合、接着剤の使用、ポリウレタンテープ、接着テープ等によって、第２の材料層１１６に固着されてもよい。これは、図５の参照番号５１４によって示されている。ポケットパネル１３１は、概して、正方形の形状で示されているが、本明細書では、長方形、三角形、円形等の他の形状を取り得ることが企図される。ありとあらゆる態様、およびその任意の変形形態は、本明細書の態様内にあると考えられる。
【００２３】
図４は、本明細書の態様に従って示されるいくつかの追加の任意の要素を有するポケット構造１３０の断面図を示す。上述したように、任意の引き紐１２８を衣料品１００上で利用して、ウエストバンド１１８を緊張させることができ、この場合、引き紐１２８はウエストバンド１１８の外層３１０とウエストバンド１１８の内層３１２との間の空間に配置される。引き紐１２８が誤ってポケット開口部１２０またはポケット開口部２１０においてウエストバンド１１８から出るのを防ぐために、引き紐１２８は、ウエストバンド１１８の内層３１２の第３の表面３１８に対して移動可能に維持されてもよい。例えば、メッシュ織物等の材料４１０を引き紐１２８の上または引き紐１２８に隣接して配置し、ウエストバンド１１８の内層３１２の第３の表面３１８に固着することによって、引き紐１２８を、材料４１０と内層３１２の第３の表面３１８との間の空間内に包囲するトンネル構造を形成しつつ、引き紐１２８の空間内での長手方向への移動を可能にする。本明細書では、引き紐１２８をウエストバンド１１８の内層３１２に対して移動可能に維持する他の方法として、例えば、離間したタックステッチ、離間したループ等が考えられる。ありとあらゆる態様、およびその任意の変形形態は、本明細書の態様内にあると考えられる。
【００２４】
図４は、ポケット開口部１２０の端縁の周囲に配置された補強材料４１２を含む他の任意の要素を示す。補強材料４１２は、ポケット開口部１２０の長さを延長し、開口部１２０の端縁を固着することで、ほつれ、破れ等を防ぐのに役立ち得る。補強材料４１２は、接着テープ、接合テープ、ポリウレタンフィルム、シリコーンフィルム等を含み得る。更に、補強材料４１２は、物体がポケット開口部１２０を通して挿入され、ポケット空間３２２内に配置されている場合に伸張するように、弾性または伸張特性を有することができる。
【００２５】
図６は、本明細書の態様による、着用者の胴体下部用の衣料品６００の代替構成を示す。衣料品１００と同様に、衣料品６００は、第１のパネル材料６１０（衣料品６００の外層）と、第１のパネル材料６１０の内側に配置された第２のパネル材料６１２とを含む。しかしながら、衣料品１００のウエストバンド１１８等の別個のウエストバンド要素を有する代わりに、第１のパネル材料６１０および第２のパネル材料６１２の上縁は、衣料品６００の上方端縁または上縁６１８を含んでもよい。従って、ポケット開口部がウエストバンドを貫通して形成される代わりに、ポケット開口部６１４は、第１の材料層６１０を貫通して形成され、ポケット開口部６１４はポケット構造６１６と連通している。
【００２６】
この構成の断面図が図７に示されており、この断面図は、図６の切り取り線７−７に沿っている。図７に示すように、第１のパネル材料６１０は、例えば縫合によって、上縁６１８にて第２のパネル材料６１２に固着され得る。本明細書ではまた、第１のパネル材料６１０および第２のパネル材料６１２は、上縁６１８を形成するために、それ自体の上に折り重ねられる単一の材料片を含み得ることも企図される。ありとあらゆる態様、およびそれらの任意の変形形態は、本明細書の態様内にあると考えられる。ポケット構造６１６は、第１のパネル材料６１０と第２のパネル材料６１２との間にポケットパネル６１７を配置し、ポケットパネル６１７の上縁７１０を、ポケット開口部６１４に隣接させ、かつポケット開口部６１４より下方の位置にて、第１のパネル材料６１０の内面に固着することによって形成される。ポケットパネル６１７の下縁７１２は、上縁７１０が第１のパネル材料６１０に固着されている場所よりも下方の位置で、第２のパネル材料６１２の内面に固着されてもよい。図５に示す構造と同様に、ポケット構造６１６をより確実に着座させるために、ポケットパネル６１７の追加の端縁を第２のパネル材料６１２に固着することができる。
【００２７】
本明細書に記載のポケット構造は、他の種類の衣料品にも使用可能であると考えられる。例えば、ポケット構造は、着用者の胴体上部用の衣料品に使用することもできる。そのような例示的な衣料品を、ブラジャーのようなサポート衣服の形態の衣料品８００を示す図８に示す。衣料品８００は、第１の材料層８１０と、第１の材料層８１０に隣接しており、かつ第１の材料層８１０の内側に配置された第２の材料層８１２（破線により示す）とを含む。二重層トリムピース８１４は、衣料品８００の上縁に沿って配置される。衣料品１００のポケット構造１３０の構成と同様に、ポケットパネル８１６は、第１の材料層８１０と第２の材料層８１２との間の空間内に配置されており、ポケットパネル８１６の上縁はトリムピース８１４の外層の内面に固着され、かつポケットパネル８１６の少なくとも下縁は、第２の材料層８１２の内面に固着されることで、ポケットパネル８１６と第２の材料層８１２との間のポケット空間を画定する。トリムピース８１４の外層に形成された開口部８１８は、ポケット空間と連通している。
【００２８】
開口部８１８の拡大図も図９に示されている。例示的な態様では、開口部８１８は、概して直線状であるが、例えば、開口部８１８内に物体が挿入される際の引き裂きを減らすために、開口部８１８の各端部に円形の開口部８２０を有することができる。図９の拡大図はまた、開口部８１８を更に補強して、裂けまたはほつれを防止するために、開口部８１８を囲む補強材料８２２も示す。
【００２９】
本開示の態様を、限定的ではなく例示的であることを意図して説明してきた。本発明の範囲から逸脱しない代替的な態様が当業者には明らかであろう。当業者は、本発明の範囲から逸脱することなく、前述の改良を実施する代替手段を開発し得る。
【００３０】
特定の特徴およびサブコンビネーションは有用であり、他の特徴およびサブコンビネーションを参照することなく採用することができ、それらは特許請求の範囲内で企図されることが理解されよう。様々な図に列挙されている全てのステップが、説明されている特定の順序で実行される必要があるわけではない。
【図１】
0006754907.tif 000002
【図２】
0006754907.tif 000003
【図３】
0006754907.tif 000004
【図４】
0006754907.tif 000005
【図５】
0006754907.tif 000006
【図６】
0006754907.tif 000007
【図７】
0006754907.tif 000008
【図８】
0006754907.tif 000009
【図９】
0006754907.tif 000010